(57)【要約】【課題】ＡＦモジュールの位置を入射光軸に直交する面内で微調整できるようにする。【解決手段】撮影レンズを介した光の一部を分岐させるサブミラーと、該サブミラーにより導かれる光が入射されるＡＦモジュールＡＦＭと、ＡＦモジュールＡＦＭに入射される光の入射方向に対して直交するＸ軸方向におけるＡＦモジュールＡＦＭの位置を調整する位置調整手段１００ａ，１００ｂ，１１６ａ，１１６ｂ，１１９，１２３とを備えて構成される。【選択図】図４
2008299226.tif 000002
【特許請求の範囲】
【請求項１】
撮影光学系を介した光の一部を分岐させる分岐光学系と、
前記分岐光学系により導かれる光が入射されるＡＦモジュールと、
前記ＡＦモジュールに入射される前記光の入射方向である第１軸方向に対して直交する第２軸方向における前記ＡＦモジュールの位置を調整する位置調整手段と、
を備えることを特徴とするカメラ。
【請求項２】
前記位置調整手段は、前記ＡＦモジュールを保持し、前記第２軸方向に摺動可能にカメラフレームに支持された第１基板を有することを特徴とする請求項１に記載のカメラ。
【請求項３】
前記位置調整手段は、
前記第１基板及び前記カメラフレームの一方に設けられた、前記第２軸方向に延在する長穴と、
前記第１基板及び前記カメラフレームの他方に設けられた、前記長穴に遊嵌された突起とを有することを特徴とする請求項２に記載のカメラ。
【請求項４】
前記位置調整手段は、
前記第１基板を前記第２軸方向に沿う一方向に付勢する弾性部材と、
前記第１基板及び前記カメラフレームの一方に前記第２軸方向に沿って形成されたネジ穴に螺合されたネジ部材とを有し、
前記ネジ部材を前記ネジ穴にねじ込んで該ネジ部材の一部を、前記弾性部材の付勢力に抗して、前記第１基板及び前記カメラフレームの他方に圧接させて、前記第１基板の前記第２軸方向の位置を調整可能であることを特徴とする請求項３に記載のカメラ。
【請求項５】
前記分岐光学系内のミラー部材の角度を調整するミラー角度調整手段を更に備え、
前記ミラー角度調整手段で前記ミラー部材の角度を変更することにより、前記ＡＦモジュールに入射される光と前記ＡＦモジュールとの前記第１軸方向及び前記第２軸方向にそれぞれ直交する第３軸方向における相対位置を調整可能であることを特徴とする請求項１〜４の何れか一項に記載のカメラ。
【請求項６】
前記位置調整手段は、
前記ＡＦモジュールを保持し、前記第２軸方向に摺動可能に支持された第１基板と、
前記第１基板を支持し、前記第１軸方向及び前記第２軸方向にそれぞれ直交する第３軸方向に摺動可能にカメラフレームに支持された第２基板と、
を有することを特徴とする請求項１又は２に記載のカメラ。
【請求項７】
前記位置調整手段は、
前記第１基板及び前記第２基板の一方に設けられた、前記第２軸方向に延在する第１長穴と、
前記第１基板及び前記第２基板の他方に設けられた、前記第１長穴に遊嵌される第１突起と、
前記第２基板及び前記カメラフレームの一方に設けられた、前記第３軸方向に延在する第２長穴と、
前記第２基板及び前記カメラフレームの他方に設けられた、前記第２長穴に遊嵌される第２突起とを有することを特徴とする請求項６に記載のカメラ。
【請求項８】
前記位置調整手段は、
前記第１基板を前記第２軸方向に沿う一方向に付勢する第１弾性部材と、
前記第１基板及び前記第２基板の一方に前記第２軸方向に沿って形成された第１ネジ穴に螺合された第１ネジ部材と、
前記第２基板を前記第３軸方向に沿う一方向に付勢する第２弾性部材と、
前記第１基板及び前記カメラフレームの一方に前記第３軸方向に沿って形成された第２ネジ穴に螺合された第２ネジ部材とを有し、
前記第１ネジ部材を前記第１ネジ穴にねじ込んで該第１ネジ部材の一部を、前記第１弾性部材の付勢力に抗して、前記第１基板及び前記第２基板の他方に圧接させることにより、前記第１基板の前記第２軸方向の位置を調整可能であり、
前記第２ネジ部材を前記第２ネジ穴にねじ込んで該第２ネジ部材の一部を、前記第２弾性部材の付勢力に抗して、前記第１基板及び前記カメラフレームの他方に圧接させることにより、前記第２基板の前記第３軸方向の位置を調整可能であることを特徴とする請求項７に記載のカメラ。
【発明の詳細な説明】
【技術分野】
【０００１】
本発明は、自動焦点装置を備えるカメラに関する。
【背景技術】
【０００２】
一眼レフカメラ等のカメラにおいては、位相差検出方式のＡＦ（オートフォーカス）モジュールを有する自動焦点装置が搭載されている。位相差検出方式は、撮影レンズを介して入射される被写体の画像情報から、ＡＦモジュール内のセパレータレンズで２つの像を生成し、その像間隔をラインセンサで計測して、ピントのズレ量を検出する方式である。撮影レンズの結像面に対してピントが合っている面（合焦面）が撮影レンズ側にある場合には、２つの像間隔は適正値（合焦している場合の２つの像間隔）よりも狭くなり、逆に該結像面に対して合焦面が撮影レンズと反対側にある場合には、２つの像間隔が適正値よりも広くなるので、合焦状態の２つの像の間隔を基準として、どの方向にどれだけ移動すれば合焦するかを瞬時に演算して求めるようにしたものである。演算結果に基づいて、撮影レンズに含まれるフォーカスレンズを駆動することにより、適正な焦点調節が行われる。
【０００３】
このような自動焦点調節においては、ユーザニーズの多様化等に伴い、撮影画面内に複数（例えば、１１個）のフォーカスエリア（焦点検出ポイント）を配置して、何れのフォーカスエリアを用いて焦点調整を行うかを、ユーザ設定に応じて自動又は手動でモード選択して、撮影シーンに応じて最適な焦点調節が行えるようにしている。そして、フォーカスエリアの多点化は今後更に進展するものと予想される。
【０００４】
ところで、ＡＦモジュールが備える各ラインセンサの受光面は、入射光軸に対して垂直な面上に位置されることが正確な焦点状態を検出するために必要である。そこで、従来は、例えば、下記特許文献１又は特許文献２に開示されているように、ＡＦモジュールの傾きを、光軸方向にそれぞれ直交し、かつ互いに直交する２つの軸回りについて（光軸方向にチルトする方向について）調整できるようにした構造が提案されている。
【０００５】
しかしながら、従来技術では、ＡＦモジュールの光軸に直交する２つの軸回りの姿勢を調整することはできるものの、入射光軸に直交する面内における位置調整を行うことができず、ＡＦモジュール等の各部品の機械的精度を厳密に設定して、これを実現するしかなく、カメラにＡＦモジュールを設置した後に、微調整することができないという問題があった。特に、ファインダ内には、例えば概略括弧状のフォーカスエリアを示す複数のエリアマークがＡＦモジュール内のセンサ（ラインセンサ等）の位置に対応して表示されており、近時におけるフォーカスエリアの更なる多点化に伴いその表示は必然的に小さくなってきているため、エリアマークに対するＡＦモジュール内のセンサとエリアマークの相対位置を、つまりはＡＦモジュール内のＡＦセンサの配置位置の調節をより正確に微調整する必要が生じてきているが、従来の技術ではこれに有効に対応することができなかった。
【０００６】
本発明はこのような点に鑑みてなされたものであり、その目的とするところは、ＡＦモジュールの位置を入射光軸に直交する面内で微調整できるようにすることである。
【特許文献１】実公昭６２−３７７０号公報
【特許文献２】特開平１０−２５３８７１号公報
【発明の開示】
【課題を解決するための手段】
【０００７】
本発明によると、撮影光学系を介した光の一部を分岐させる分岐光学系と、前記分岐光学系により導かれる光が入射されるＡＦモジュール（ＡＦＭ，１０２）と、前記ＡＦモジュール（１０２）に入射される前記光の入射方向である第１軸方向（Ｚ軸方向）に対して直交する第２軸方向（Ｘ方向又はＹ方向）における前記ＡＦモジュールの位置を調整する位置調整手段（１２３，１１６ａ，１１６ｂ，１１９，１３４ａ，１３４ｂ）と、を備えるカメラが提供される。
【０００８】
なお、この項の説明では、後述する実施形態を表す図面に示す部材符号を括弧を付して付記したが、これは単に理解の容易化のためであり、本発明の各構成要件は、これら部材符号を付した図面に示す部材に限定されるものではない。
【発明の効果】
【０００９】
本発明では、位置調整手段により、光の入射方向（第１軸方向）に直交する方向（第２軸方向）におけるＡＦモジュールの位置を調整することができるので、例えば、ファインダ内に設けられるエリアマークに対するＡＦモジュールの（各ＡＦセンサの）、入射光軸に直交する面内における相対位置を、ＡＦモジュールをカメラ内に設置した後に微調整することができるようになり、ＡＦセンサの配置についてより精密な位置調節ができるという効果がある。
【発明を実施するための最良の形態】
【００１０】
以下、本発明の実施形態について、図面を参照して詳細に説明する。
【００１１】
〔カメラの全体構成〕
図１は本発明の実施形態に係るカメラの概略構成を模式的に示す側断面図である。この実施形態のカメラは、主として静止画像を撮影する一眼レフ方式のデジタルカメラである。但し、本発明が適用可能なカメラとしては、一眼レフ方式でなくてもよく、またフィルム式カメラであってもよい。さらに、静止画を撮影するカメラのみならず、動画を撮影するビデオカメラであってもよい。また、撮影機能付きの携帯端末（携帯電話、ＰＤＡ等）、その他の撮影機能を有する装置もカメラに含まれる。
【００１２】
図１において、カメラＣＭは、カメラボディＣＢ及びカメラボディＣＢに交換可能に装着される撮影レンズＣＬを備えて構成されている。撮影レンズＣＬは、レンズマウントＬＭを介して、カメラボディＣＢに装着される。なお、撮影レンズＣＬは交換可能なものでなく、カメラボディＣＢに一体的に固定されたものであってもよい。カメラボディＣＢの上部には、ファインダ部ＦＤが一体的又は交換可能に取り付けられている。
【００１３】
カメラボディＣＢの内部には、高解像度（例えば、一千万画素）のＣＣＤあるいはＣＭＯＳ等の撮像素子１０が取り付けられている。撮像素子１０は、撮像面に結像される被写体の像を画像信号に変換して出力する。撮像素子１０の前面（撮影レンズＣＬ側）には、赤外光をカットするための赤外カットフィルタ、光学的ローパスフィルタ、撮像面を保護するための保護ガラス等の光学部材ＯＦが設けられている。撮像素子１０の前面側には、斜光部材を機械的に駆動して露光時間を調節するためのメカニカルシャッタ１１が設けられている。
【００１４】
ファインダ部ＦＤは、撮影レンズＣＬや後述するクイックリターンミラーＲＭ等を介して形成される被写体の光学像を目視観察するための光学式のファインダであり、フォーカシングスクリーン（焦点板）１２、ペンタプリズム１３、測光素子１４、測光光学系１５、接眼部（接眼レンズ）１６等を備えて構成されている。測光素子１４は、シャッタスピードや絞り値を決定するために、これに結像される像の明るさを測定する素子である。ファインダ部ＦＤ内には、フォーカスエリアに対応したエリアマークやその他の情報をペンタプリズム１３内に供給し、これらを撮影者がファインダの観察窓を介して撮影領域内で重畳的に視認可能とするための表示装置Ｄ１が設けられている。また、同じくファインダ部ＦＤ内には、露出インジケータ等の情報を、撮影者がファインダの観察窓を介して撮影領域の外側（例えば、下側）で視認可能とするための表示装置Ｄ２も設けられている。
【００１５】
これらのファインダ内表示装置Ｄ１、Ｄ２としては、例えば、セグメント方式の液晶ディスプレイが用いられる。ファインダ内表示装置Ｄ１によるエリアマークは、例えば、撮影領域内で１１個の箇所（１１個の領域）にフォーカスエリアが設定されているものとして、図２に符号ＡＭで示されているように、撮影領域ＦＡ内に配置される。ここでは、エリアマークＡＭは、カギ括弧状のマークとしたが、これ以外のマークであってもよい。フォーカスエリアが更に多数設定される場合には、エリアマークは、更に小型のものを撮影領域内に網羅的に配置することになる。ファインダ内表示装置Ｄ１は不図示の位置調整機構に保持されており、撮像視野ＦＡ内のエリアマークＡＭの全体的位置を微調整できるようになっており、撮影レンズＣＬの光軸ＡＸを基準として、中央のエリアマークＡＭが撮像視野ＦＡの中心に位置するように位置調整される。図２において、ＩＡは、ファインダ内表示装置Ｄ２によって表示される露出インジケータ、その他の情報表示バーである。
【００１６】
カメラボディＣＢの背面には、撮像素子１０に結像される画像を表示可能な画像表示モニタ（液晶パネル）１７が設けられている。なお、画像表示モニタ１７には、画像の他に、このカメラが備える不図示の制御装置（制御マイコン）による制御の下、各種のメニュー画面や選択画面等も表示されるようになっている。カメラボディＣＢ内において、撮像素子１０の前面側（メカニカルシャッタ１１よりも更に前面側）には、クイックリターンミラーＲＭが設けられている。クイックリターンミラーＲＭは、メインミラー１８及びメインミラー１８の裏面側（下側）に設けられたサブミラー１９を備えて構成されている。図１では、サブミラー１９はメインミラー１８に一体的に固定されているように描かれているが、メインミラー１８及びサブミラー１９は、カメラボディＣＢ内に設けられた不図示のカメラフレームの一部を構成する不図示のミラーボックスにそれぞれ回動可能に軸支されている。
【００１７】
メインミラー１８は、撮像素子１０の撮像面に対して略４５度で撮像素子１０の前面を遮断する、即ち撮影レンズＣＬの光路内に配置されるミラーダウン状態（図１中、二点鎖線で表示）と、図１において時計方向に回動して撮像素子１０の撮像面に対して略直交（フォーカシングスクリーン１２の下側で略平行）となる、即ち撮影レンズＣＬの光路外に配置されるミラーアップ状態となるように、選択的に高速動作可能なミラーである。サブミラー１９は、撮影レンズＣＬを介した光の一部を分岐させる分岐光学系の一部を構成するミラー部材であり、メインミラー１８の回動に連動して回動されるようになっている。
【００１８】
クイックリターンミラーＲＭの駆動は、不図示の駆動装置により行われる。クイックリターンミラーＲＭと上述したメカニカルシャッタ１１の駆動は、同一の駆動装置によって行われるようになっている。メインミラー１８はその一部（中央部近傍）がハーフミラー、その余の部分が全反射ミラーとなっており、メインミラー１８がミラーダウン状態で、撮影レンズＣＬからの光は、その殆どがファインダ部ＦＤ（フォーカシングスクリーン１２）側へ反射され、ハーフミラー部を透過した一部の光は、サブミラー１９で反射されるようになっている。
【００１９】
サブミラー１９で反射された光は、自動焦点装置の一部を構成する位相差検出方式のＡＦモジュールＡＦＭに入射される。ＡＦモジュールＡＦＭは、前述したカメラフレームの一部を構成するミラーボックスＭＢの底部に取り付けられている。クイックリターンミラーＲＭがミラーアップ状態に切り換えられると、撮影レンズＣＬからの光はメカニカルシャッタ１１を介して撮像素子１０に入射される。撮影レンズＣＬは、被写体の像を撮像素子１０の撮像面上に結像させるための撮影光学系である。図１では、撮影レンズＣＬは焦点距離が変更可能なズームレンズであるものとするが、単焦点レンズであってもよい。フィッシュアイレンズ、広角レンズ、望遠レンズ、マイクロレンズ等を任意に交換して装着することも可能である。
【００２０】
撮影レンズＣＬは、レンズ鏡筒内部に、メインレンズ２１、フォーカスレンズ（焦点調節レンズ）２２、焦点距離調節レンズ（不図示）及び固定レンズ２３等を含む複数のレンズ、並びに絞り２４等を備えて構成されている。フォーカスレンズ２２及び焦点距離調節レンズは、それぞれ撮影レンズＣＬの光軸に沿う方向に移動可能に取り付けられている。焦点距離調節レンズは、図示しないズーム環等を撮影者が手動で回すことにより、その光軸ＡＸ方向の位置が変化し、それに応じて撮影レンズＣＬの焦点距離を変化させることができるようになっている。フォーカスレンズは、駆動モータ（アクチュエータ）２５により光軸ＡＸに沿う方向の位置が変化され、その位置の変化はエンコーダによりモニタされるようになっている。絞り２４は、撮像素子１０へ入射させる光の量を調節するための可変開口絞りであり、絞りの設定は、測光素子１４の出力等に基づいて自動的に、又は撮影者の手動操作により設定される。
【００２１】
カメラボディＣＢの上部又は背面には、図示は省略するが、撮影者が指示内容を手動入力するための各種のスイッチ、押しボタン、ダイヤル、十字キー等の操作部及び撮影モード等を含む各種の設定内容を表示するための情報表示パネル（画像表示モニタとは別の小型液晶パネル）等が配置されている。操作部としては、電源をオン／オフする電源ダイヤル、レリーズボタン、メニューボタン、項目選択十字キー、ＯＫボタン（決定ボタン）等が設けられている。
【００２２】
クイックリターンミラーＲＭは、ミラーダウン状態が基本姿勢であり、通常はこの姿勢となっており、撮影レンズＣＬからの被写体の像は、クイックリターンミラーＲＭにより上方に反射されてフォーカシングスクリーン１２上に１次像として結像され、ペンタプリズム１３を介して接眼部１６に導くことで撮影者は観察窓を通して被写体の像を目視観察することができるようになっている。また、この状態で、フォーカシングスクリーン１２上に結像した被写体の１次像の一部は、ペンタプリズム１３、測光光学系１５を介して、測光素子１４に導かれ、測光素子１４上に２次像として結像されて、測光がなされるようになっている。
【００２３】
測光素子１４からの出力は輝度情報換算回路（不図示）により輝度値に換算されて、カメラが備える制御装置に供給され、制御装置はこの輝度値情報と、撮影レンズＣＬ内のＲＯＭから送られるレンズデータ等に基づいて、最適露出値を演算し、画像表示ディスプレイ１７又はファインダ内の表示部ＩＡに当該最適露出値を表示するとともに、自動露出モードである場合には、最適露出が得られるように、メカニカルシャッタ１１の駆動回路及び絞り２４の駆動回路に対して制御信号を出力することにより、シャッタ速度及び絞り量が自動調整される。
【００２４】
焦点検出操作（レリーズボタンが半押しされる操作）がなされると、ＡＦモジュールＡＦＭによって焦点検出が行われ、結像面に焦点位置が一致してない場合には、そのズレを解消するように、レンズ駆動部２５を介してフォーカスレンズ２２が移動され、焦点の自動調節がなされるようになっている。次いで、静止画の撮影操作（レリーズボタンが全押しされる操作）がなされると、クイックリターンミラーＲＭがミラーアップ状態に切り換えられ、これとほぼ同時にメカニカルシャッタ１１が作動された後、クイックリターンミラーＲＭは元の基本姿勢であるミラーダウン状態に速やかに戻される。これにより、１枚の画像が撮像され、カメラが備えるメモリカード等の記録媒体に記録される。クイックリターンミラーＲＭがミラーアップ状態となることにより、ファインダ部ＦＤへの被写体の像の供給は一瞬遮断される。なお、動画撮影や画像表示モニタに動画表示を行う場合には、クイックリターンミラーＲＭは、ミラーアップ状態を継続的に維持するようになっている。
【００２５】
〔ＡＦモジュールの位置調整〕
次に、ＡＦモジュールＡＦＭの概略構成及びミラーボックス底部への取付構造について、図３〜図６を参照して、詳細に説明する。図３はＡＦモジュール及びその近傍の構成を拡大した側面図であり、図４は同じく底面図であり、図５はＡＦモジュールとミラー部材としてのサブミラーとの関係を示す斜視図、図６はＡＦモジュール及びその近傍の構成を、図１の矢印Ａ方向から見た場合の斜視図である。なお、以下では、便宜的に、このＡＦモジュールＡＦＭが備えるＡＦセンサ１０２に入射される光の入射方向をＺ軸方向とし、Ｚ軸方向に直交する面（ＡＦセンサ１０２の受光面に平行な面）内で左右方向をＸ軸方向とし、Ｚ軸方向に直交する面内で該Ｘ軸方向に直交する上下方向をＹ軸方向として説明する。
【００２６】
ＡＦモジュールＡＦＭは、図２に示したような１１点の焦点検出領域（フォーカスエリア）について、縦方向と横方向に関する焦点位置を検出するクロスセンサ方式のモジュールであり、その内部に、視野マスク、コンデンサレンズ、ミラー１０１、マスク板、セパレータレンズ、及びＡＦセンサ１０２を、サブミラー１８側から、この順に配置してモジュール化して（一つの構造体として）構成されている（番号を付したもの以外は不図示）。
【００２７】
視野マスクは、撮像素子１０の撮像面と等価な面近傍に配置され、フォーカスエリア（ここでは、１１個とする）にそれぞれ対応して形成された光透過部を有している。視野マスクの光透過部を通過した各光は、コンデンサレンズユニットを経てミラーユニット１０１で略９０度その方向が偏向され、マスク板に入射される。マスク板は、視野マスクの各光透過部にそれぞれ対応して、縦及び横にそれぞれ形成された一対のスリットを有し、これらの縦及び横でそれぞれ一対のスリットを透過した光は、セパレータレンズに入射される。セパレータレンズは、マスク板の各スリットにそれぞれ対応して形成されたレンズ部を有し、各スリット光を対応する該レンズ部で集光して、ＡＦセンサに入射させる。ＡＦセンサは、各フォーカスエリアについて、マスク板の縦及び横でそれぞれ一対のスリットに対応して延在された複数のラインセンサを有しており、セパレータレンズの各レンズ部により結像される縦及び横でそれぞれ一対のスリット光を対応するラインセンサで検出する。
【００２８】
ミラー１０１及びＡＦセンサ１０２等を含むＡＦモジュールＡＦＭは、モジュール基板１１０を介して、ミラーボックスＭＢの底部１００に取り付けられている。ＡＦモジュールＡＦＭにはその両側に取付部１０３ａ、１０３ｂが一体的に設けられており、取付部１０３ａには取付用の貫通穴が２箇所に、取付部１０３ｂには取付用の貫通穴が１箇所に形成されている。
【００２９】
モジュール基板１１０は、モジュール第１基板１１０ａ及びモジュール第２基板１１０ｂを互いに一体的に固定して構成されている。モジュール第１基板１１０ａには、ＡＦモジュールＡＦＭの取付部１０３ａの一方の貫通穴に対応して、ネジ１１３ａが螺合されるネジ穴が形成されているとともに、他方の貫通穴に対応して、軸１１４ａが固定されている。また、ＡＦモジュールの取付部１０３ｂの貫通穴に対応して、ネジ１１５ａが螺合されるネジ穴が形成されている。ＡＦモジュールＡＦＭは、モジュール第１基板１１０ａから離間する方向に付勢するバネ１１３ｂ、１１４ｂ、１１５ｂが介装された状態で、ネジ１１３ａ，１１５ａを対応するネジ穴に、これらのバネ１１３ｂ、１１５ｂの付勢力に抗して螺合するとともに、バネ１１４ｂの付勢力に抗して軸１１４ａに止め具１１４ｃを係止させることにより、モジュール第１基板１１０ａに取り付けられる。
【００３０】
ネジ１１３ａのねじ込み量を調整することにより、ＡＦセンサ１０２のＸ軸回りの回転位置の調整を行うことができ、また、ネジ１１５ａのねじ込み量を調整することにより、ＡＦモジュールＡＦＭのＺ軸回りで、ＡＦセンサ１０２のＹ軸回りの回転位置の調整を行うことができるようになっている。
【００３１】
モジュール第１基板１１０ａのモジュール第２基板１１０ｂが固定される側と反対側の側辺近傍には、Ｘ方向に延在する一対の長穴１１６ａ、１１６ｂが形成されているとともに、ミラーボックスＭＢの底部１００に取り付けるためにバネ掛け兼用ネジ１２１ａ、ネジ１２１ｂが挿入される貫通穴が２箇所に形成されている。また、モジュール第２基板１１０ｂには、同じくミラーボックスＭＢの底部１００に取り付けるためにネジ１２２ａ、１２２ｂが挿入される貫通穴が２箇所に形成されている。これらの貫通穴は、ネジ１２１ａ、１２１ｂ、１２２ａ、１２２ｂの軸部の径に対して、十分に余裕を持った径の穴（いわゆるバカ穴）となっている。また、モジュール第１基板１１０ａの側部（ＡＦモジュールＡＦＭの取付部１０３ａに対応する側）には、押圧部１１７が一体的に形成されているとともに、長穴１１６ａ、１１６ｂが形成された側の側辺近傍には、バネ掛け部１１８が一体的に形成されている。
【００３２】
ミラーボックスＭＢの底部１００のモジュール第１基板１１０ａの一対の長穴１１６ａ、１１６ｂに対応する位置には、一対のボス（突起）１００ａ、１００ｂが一体的に形成されている。これらのボス１００ａ、１００ｂ、これらに対応する長穴１１６ａ、１１６ｂは、ボス１００ａが対応する長穴１１６ａに、ボス１００ｂが対応する長穴１１６ｂに挿入された状態で、該長穴の短径方向には殆ど遊びがなく、長径方向には十分な余裕を持って遊嵌されるような寸法に設定されている。モジュール基板１１０は、モジュール第１基板１１０ａの長穴１１６ａ、１１６ｂに、対応するボス１００ａ、１００ｂを遊嵌させた状態で、貫通穴にネジ１２１ａ、１２１ｂ、１２２ａ、１２２ｂの軸部を貫通させるとともに、バネ１１９の一端をバネ掛け兼用ネジ１２１ａに係止し、他端をバネ掛け部１１８に係止した状態で、ミラーボックスＭＢの底部１００に形成された対応するネジ穴に螺合することにより、ミラーボックスＭＢの底部１００に取り付けられる。
【００３３】
また、ミラーボックスＭＢの底部１００には、Ｘ軸方向に貫通するネジ穴を有する調整ネジ取付部１００ｃが一体的に形成されており、このネジ穴に調整ネジ１２３が螺合されている。調整ネジ１２３の先端部は、調整ネジ取付部１００ｃのネジ穴を貫通して、モジュール第１基板１１０ａの押圧部１１７に当接するようになっている。４つのネジ１２１ａ，１２１ｂ，１２２ａ，１２２ｂを緩めた状態では、バネ１１９の付勢力によって、ＡＦモジュールＡＦＭが取り付けられたモジュール基板１１０は、調整ネジ１２３側に付勢されており、調整ネジ１２３をねじ込むことにより、その先端部により押圧部が押圧され、バネ１１９の付勢力に抗して摺動させることで、モジュール基板１１０のＸ軸方向の位置を微調整することができる。
【００３４】
この位置調整は、撮影レンズＣＬの光軸ＡＸに沿ってスポット光を投入し、ＡＦセンサ１０２からの出力（電気信号）の波形を見ながら、調整ネジ１２３を進退させることにより行うことができる。調整後、ネジ１２１ａ、１２１ｂ、１２２ａ、１２２ｂを締め込むことにより、モジュール基板１１０をミラーボックスＭＢの底部１００に固定する。
【００３５】
なお、バネ１１９の一端のバネ掛け兼用ネジ１２１ａへの係止に代えて、ミラーボックスＭＢにバネ掛け部を設けてこれに係止するようにしてもよい。また、上述した説明では、モジュール第１基板１１０ａに長穴１１６ａ、１１６ｂを、ミラーボックスＭＢの底部１００にボス１００ａ、１００ｂを設けたが、これと逆にミラーボックスＭＢの底部１００にモジュール第１基板１１０ａの長穴１１６ａ、１１６ｂと同様な長穴を、モジュール第１基板１１０ａにミラーボックスＭＢの底部１００のボス１００ａ、１００ｂと同様なボスを設けてもよい。
【００３６】
上述した構成により、ＡＦモジュールＡＦＭをＸ軸方向にスライドさせることによって、ＡＦセンサ１０２に入射される光とＡＦセンサ１０２とのＸ軸方向における相対位置の微調整ができるようになる。次いで、ＡＦセンサ１０２に入射される光とＡＦセンサ１０２とのＹ軸方向における位置の微調整を行うための構成について、図７及び図８を参照して説明する。
【００３７】
ここでは、撮影レンズＣＬを介した光の一部を分岐させる分岐光学系を構成するサブミラー１９について、ミラーダウン状態にあるときのＸ軸回りの角度を微調整することにより、ＡＦセンサ１０２に入射される光の入射角度を変化させることによって、該入射光とＡＦセンサ１０２とのＹ軸方向の相対位置の微調整を行う。
【００３８】
図７又は図８に示されているように、サブミラー１９を保持するサブミラー保持部材１９ａの背面（サブミラー１９の反射面と反対側の面）側に偏芯ネジ（偏芯ピン）１９ｂを設けている。この偏芯ネジ１９ｂはネジ山が形成された軸部が、ネジの頭部の中心からずれた（偏芯した）位置に設けられてなるネジであり、軸部は不図示のミラーボックスに螺合されている。この偏芯ネジ１９ｂを回転させることにより、偏芯ネジ１９ｂの頭部の外周に接するサブミラー保持部材１９ａの角度を微調整することができ、これにより、例えば、図７に示されているような状態から、偏芯ネジ１９ｂを回転させることにより、図８に実線で示されているように、入射光とＡＦセンサ１０２のＹ方向における相対位置を調整することが可能となる。なお、図８には参考ため、図７における状態を点線で重ねて図示してある。
【００３９】
なお、この位置調整は、撮影レンズＣＬの光軸ＡＸに沿ってスポット光を投入し、ＡＦセンサ１０２からの出力（電気信号）の波形を見ながら、偏芯ネジ１１９ｂを回転させることにより行うことができる。上述した構成により、ＡＦセンサ１０２のＸ軸方向及びＹ軸方向における位置調整が可能となり、ファインダ部ＦＤ内に表示されるエリアマークとＡＦセンサ１０２の対応するラインセンサの相対位置を任意に微調整することができるようになる。
【００４０】
次に、本発明の他の実施形態として、ＡＦセンサ１０２に入射される光とＡＦセンサ１０２とのＹ軸方向における位置の微調整を行うための他の構成について、図９及び図１０を参照して説明する。なお、図３〜図６と実質的に同一の構成部分については、同一の符号を付して、その説明は省略する。図９に示されているように、モジュール基板１１０（以下、第１モジュール基板という）とミラーボックスＭＢの底部１００との間に、第２モジュール基板１３０が介装されている。
【００４１】
第２モジュール基板１３０には、図１０にも示されているように、ＡＦモジュールＡＦＭの長穴１１６ａ、１１６ｂに遊嵌されるボス１３１ａ、１３１ｂが形成されている。これらのボス１３１ａ、１３１ｂは、上述したミラーボックスＢＭの底部１００に形成されたボス１００ａ、１００ｂと同様の構成である。また、第２モジュール基板１３０には、第１モジュール基板１１０（モジュール第１基板１１０ａ）に形成された、ネジ１２１ａ、１２１ｂ、１２２ａ、１２２ｂが挿入される貫通穴に対応して、同様にいわゆるバカ穴である４つの貫通穴１３２ａが形成されている。さらに、第２モジュール基板１３０の一方の側辺近傍には、Ｚ軸方向に延在する一対の長穴１３４ａ，１３４ｂが形成されている。これらの長穴１３４ａ、１３４ｂは、延在方向がＺ軸方向であることを除いて、第１モジュール基板１１０の長穴１１６ａ、１１６ｂと同様の構成である。
【００４２】
ミラーボックスＭＢの底部１００には、第２モジュール基板１３０の長穴１３４ａ、１３４ｂに遊嵌するボス１００ｄ、１００ｅが形成されている。これらのボス１００ｄ、１００ｅは、配置の方向を除いて、第２モジュール基板１３０のボス１３１ａ、１３１ｂと同様の構成である。また、底部１００には、ネジ１２１ａ、１２１ｂ、１２２ａ、１２２ｂがそれぞれ螺合される４つのネジ穴１００ｆが形成されている。
【００４３】
ＡＦモジュールＡＦＭが取り付けられた第１モジュール基板１１０は、モジュール第１基板１１０ａの長穴１１６ａ、１１６ｂに、第２モジュール基板１３０の対応するボス１３１ａ、１３１ｂを遊嵌させた状態とし、更に、この状態で第２モジュール基板１３０の長穴１３４ａ、１３４ｂにミラーボックスＭＢの底部１００のボス１００ｄ、１００ｅを遊嵌させた状態として、４つの貫通穴１２３ａにネジ１２１ａ、１２１ｂ、１２２ａ、１２２ｂの軸部を貫通させるとともに、ミラーボックスＭＢの底部１００に形成された対応するネジ穴１００ｆに螺合することにより、ミラーボックスＭＢの底部１００に取り付けられる。
【００４４】
ネジ１２１ａ、１２１ｂ、１２２ａ、１２２ｂを緩めた状態では、第１モジュール基板１１０はＸ軸方向に摺動可能であり、また第２モジュール基板１３０はＺ軸方向に摺動可能であるから、Ｘ軸方向及びＺ軸方向の位置を適宜に調整して、ネジ１２１ａ、１２１ｂ、１２２ａ、１２２ｂを締結することにより、位置の微調整を行った上で、ＡＦモジュールＡＦＭをミラーボックスＭＢに固定することができる。なお、第２モジュール基板１３０をＺ軸方向に位置調節することは、ＡＦセンサ１０２のＹ軸方向の位置調節をすることと等価である。なお、図９では、図示を省略したが、第２モジュール基板１３０について、バネ１１９、調整ネジ１２３等と同様の部材を設けて、第１モジュール基板１１０と同様に、調整ネジにより、第２モジュール基板１３０の微調整を行うことができるようになっている。
【００４５】
このように、第２モジュール基板１３０を第１モジュール基板１１０とミラーボックスＭＢの間に介装してＸ軸方向に加えてＺ軸方向にも摺動可能としたので、ＡＦセンサ１０２のＸ軸方向の位置調整に加えて、Ｙ軸方向の位置調整をも行える構成となっている。
【００４６】
以上説明した実施形態は、本発明の理解を容易にするために記載されたものであって、本発明を限定するために記載されたものではない。従って、上記の実施形態に開示された各要素は、本発明の技術的範囲に属する全ての設計変更や均等物をも含む趣旨である。
【図面の簡単な説明】
【００４７】
【図１】本発明の実施形態のカメラの概略構成を示す断面図である。
【図２】本発明の実施形態のファインダ内表示の一例を示す図である。
【図３】本発明の実施形態のＡＦモジュール及びその近傍の構成を示す側面図である。
【図４】本発明の実施形態のＡＦモジュール及びその近傍の構成を底面図である。
【図５】本発明の実施形態のＡＦモジュールとサブミラーとの関係を示す斜視図である。
【図６】本発明の実施形態のＡＦモジュール及びその近傍の構成を、図１の矢印Ａ方向から見た場合の斜視図である。
【図７】本発明の実施形態のサブミラーの調整機構の一例（調整前）を示す図である。
【図８】本発明の実施形態のサブミラーの調整機構の一例（調整後）を示す図である。
【図９】本発明の他の実施形態のＡＦモジュールの位置調整機構を示す分解斜視図である。
【図１０】本発明の他の実施形態で用いた第２モジュール基板の構成を示す平面図である。
【符号の説明】
【００４８】
ＣＭ…カメラ、ＣＢ…カメラボディ、ＣＬ…撮影レンズ、ＦＤ…ファインダ部、ＲＭ…クイックリターンミラー、ＡＦＭ…ＡＦモジュール、ＭＢ…ミラーボックス、ＡＭ…エリアマーク、ＦＡ…撮像領域、Ｄ１，Ｄ２…ファインダ内表示装置、１０…撮像素子、１８…メインミラー、１９…サブミラー、１９ａ…サブミラー保持部材、２２…フォーカスレンズ、２５…フォーカスレンズ駆動部、１００…ミラーボックス底部、１００ａ，１００ｂ…ボス、１０１…ミラー、１０２…ＡＦセンサ、１１０…モジュール基板、１１６ａ，１１６ｂ…長穴、１１７…押圧部、１１９…バネ、１２１ａ，１２１ｂ，１２２ａ，１２２ｂ…ネジ、１２３…調整ネジ。
【図１】
2008299226.tif 000003
【図２】
2008299226.tif 000004
【図３】
2008299226.tif 000005
【図４】
2008299226.tif 000006
【図５】
2008299226.tif 000007
【図６】
2008299226.tif 000008
【図７】
2008299226.tif 000009
【図８】
2008299226.tif 000010
【図９】
2008299226.tif 000011
【図１０】
2008299226.tif 000012